(57)【要約】【課題】薄型化を図ることができる表示装置を提供すること。【解決手段】表示装置としての時計１は、円筒状のフレーム３と、このフレーム３の周面に沿って略全周に亘って配置されて各種情報を表示する帯状の電気泳動表示パネル２０を備える。胴３１の外周面に沿って巻かれた電気泳動表示パネル２０の両端部間に一次電池７が配置されている。従って、電気泳動表示パネル２０と一次電池７とが互いに重なり合った状態で配置された場合と比べて、電気泳動表示パネル２０および一次電池７の配置部分における厚さ方向の寸法を小さくすることができ、薄型化を図ることができる。【選択図】図４
2008096543.tif 000002
【特許請求の範囲】
【請求項１】
筒状のフレームと、
このフレームの周面に略全周に亘って配置されて各種情報を表示する帯状の表示パネルと、
この表示パネルの駆動電源となる電池とを備え、
前記表示パネルの周方向に沿った両端部は、互いに所定寸法離れて配置され、
前記電池は、前記表示パネルの両端部間に配置されていることを特徴とする表示装置。
【請求項２】
請求項１に記載の表示装置において、
少なくとも前記電池を覆うカバー部材を有することを特徴とする表示装置。
【請求項３】
請求項２に記載の表示装置において、
前記表示パネルには、前記カバー部材の位置決め用のカバー部材位置表示部が形成され、
このカバー部材位置表示部は、カバー部材を配置する際に表示可能に設けられていることを特徴とする表示装置。
【請求項４】
請求項２に記載の表示装置において、
前記カバー部材と当接して当該カバー部材を位置決め可能に形成された突起部が設けられていることを特徴とする表示装置。
【請求項５】
請求項２ないし請求項４のいずれかに記載の表示装置において、
前記カバー部材は、光エネルギを電気エネルギに変換する光電変換手段を備え、
前記電池は、前記光電変換手段で変換された電気エネルギを蓄える二次電池から形成されていることを特徴とする表示装置。
【請求項６】
請求項１ないし請求項５のいずれかに記載の表示装置において、
前記フレームは、胴と、蓋部材とを備え、
前記胴は、筒部と、この筒部の一端から外側に突出する鍔部とを有し、
前記蓋部材は、板状で、前記筒部の端部形状と同寸法かつ同形状の開口部を有し、前記鍔部の外周形状と同寸法かつ同形状の外周形状を有し、前記筒部の他端に前記鍔部に対向して着脱可能に設けられ、
前記筒部の外周面には、前記表示パネルが配置され、
この表示パネルの外周面には、筒状の透光部材が配置され、
この透光部材は、前記鍔部と前記蓋部材とによって挟持され、
前記電池は、前記筒部と透光部材との間に配置され、前記蓋部材を取り外すことによって当該蓋部材の方向へ移動させて交換可能に設けられていることを特徴とする表示装置。
【請求項７】
請求項２ないし請求項６のいずれかに記載の表示装置において、
前記フレームは、胴と、蓋部材とを備え、
前記胴は、筒部と、この筒部の一端から外側に突出する鍔部とを有し、
前記蓋部材は、板状で、前記筒部の端部形状と同寸法かつ同形状の開口部を有し、前記鍔部の外周形状と同寸法かつ同形状の外周形状を有し、前記筒部の他端に前記鍔部に対向して設けられ、
前記筒部の外周面には、略筒状の中枠が配置され、
この中枠の外周面には、前記表示パネルが巻き付けられ、
この表示パネルの外周面には、筒状の透光部材が配置され、
前記中枠および前記透光部材は、前記鍔部と前記蓋部材とによって挟持され、
前記カバー部材は、前記透光部材によって覆われていることを特徴とする表示装置。
【発明の詳細な説明】
【技術分野】
【０００１】
本発明は、表示装置に関する。詳しくは、筒状のフレームの周面に略全周に亘って配置される表示パネルを備えた表示装置に関する。
【背景技術】
【０００２】
近年、腕などに装着する形式の表示装置として、各種情報を表示する表示ユニットと、各部に電力を供給する電池と、ボビン形状（筒状）のフレームとを備えた表示装置が開発されている（例えば、特許文献１参照）。
このような表示装置において、表示ユニットは、樹脂等の可撓性部材で形成されたフレキシブル基板を備え、このフレキシブル基板上に、液晶ディスプレイパネル等の表示パネルが配置されている。電池は、リチウムポリマー電池のようなフレームの周面に沿った形状のもので構成されている。これらの表示ユニットおよび電池は、フレームの周面に沿って、互いに重なり合った状態で配置されている。このような構成によって、表示装置の周面に沿って様々な情報が表示される。
【０００３】
【特許文献１】特開２００５−２５０４４２号公報（図５、図６）
【発明の開示】
【発明が解決しようとする課題】
【０００４】
しかしながら、前記特許文献１に記載の表示装置では、表示ユニットおよび電池が互いに重なり合った状態で筒状のフレームの周面に沿って配置されているので、これらの配置部分における厚さ方向の寸法が大きくなってしまい、薄型化を図ることが困難になってしまうという問題がある。
【０００５】
本発明の目的は、薄型化を図ることができる表示装置を提供することである。
【課題を解決するための手段】
【０００６】
本発明の表示装置は、筒状のフレームと、このフレームの周面に略全周に亘って配置されて各種情報を表示する帯状の表示パネルと、この表示パネルの駆動電源となる電池とを備え、前記表示パネルの周方向に沿った両端部は、互いに所定寸法離れて配置され、前記電池は、前記表示パネルの両端部間に配置されていることを特徴とする。
【０００７】
ここで、表示装置として、腕時計や携帯電話等が例示される。また、各種情報を表示する帯状の表示パネルとして、電気泳動表示パネルや有機ＥＬ（Electro Luminescence）パネル等が例示される。また、電池とは、ボタン型電池等の一次電池、あるいは、充電可能な二次電池のことをいう。
なお、表示パネルの両端部間には、少なくとも電池を配置できる間隔が設けられていればよいが、この間隔は、できる限り小さい方が、表示パネルの表示範囲が広くなるので好適である。
【０００８】
この発明によれば、フレームの周面に沿って巻かれた表示パネルの両端部間に電池が配置されているので表示パネルと電池との重なりが生じず、従来のように、表示パネルと電池とが互いに重なり合った状態で配置されるのと比べて、表示パネルおよび電池の配置部分における厚さ方向の寸法を小さくすることができ、薄型化を図ることができる。
【０００９】
本発明の表示装置では、少なくとも前記電池を覆うカバー部材を有することが好ましい。
ここで、カバー部材が覆う範囲は、少なくとも電池全体であればよいが、カバー部材が表示パネルの両端と電池との間も覆うようにしてもよく、また、表示パネルの両端部も覆うようにしてもよい。
この発明によれば、カバー部材が、少なくとも電池を覆うので、デザイン上、露出させたくない電池を隠すことができ、装飾性を高め、良好な外観を得ることができる。
特に、カバー部材はフレームの周面に沿った形状であることが好ましい。例えば、ボタン電池のように可撓性のない電池をフレームの周面に配置する場合に、電池をフレームの周面に沿うように曲げることはできないが、フレームの周面に沿った形状のカバー部材で電池を覆うことによって、全体的にフレームの周面に沿った統一感のある外観を得ることができる。
【００１０】
本発明の表示装置では、前記表示パネルには、前記カバー部材の位置決め用のカバー部材位置表示部が形成され、このカバー部材位置表示部は、カバー部材を配置する際に表示可能に設けられていることが好ましい。
このような構成によれば、表示パネルには、カバー部材位置表示部が設けられているので、組立作業の際、カバー部材は、カバー部材位置表示部を点灯等で表示させた状態でカバー部材の両端部と、カバー部材位置表示部とが合うように配置される。このようにして、カバー部材の位置決めを容易に実施することができる。従って、組立作業の効率化を図ることができる。
また、カバー部材の位置決めが済んだ後は、カバー部材位置表示部を消灯等で表示させなくすることができるので、カバー部材位置表示部が露出することもなく、良好な外観を得ることができる。
【００１１】
本発明の表示装置では、前記カバー部材と当接して当該カバー部材を位置決め可能に形成された突起部が設けられていることが好ましい。
ここで、突起部は、フレームに設けられていてもよく、あるいは、フレームと表示パネルとの間に中枠が設けられる場合には、突起部は、中枠に設けられていてもよい。
この発明によれば、カバー部材と当接してカバー部材を位置決め可能に形成された突起部が設けられているので、組立作業の際、カバー部材の位置決めを短時間で容易に実施することができ、組立作業の効率化を図ることができる。
【００１２】
本発明の表示装置では、前記カバー部材は、光エネルギを電気エネルギに変換する光電変換手段を備え、前記電池は、前記光電変換手段で変換された電気エネルギを蓄える二次電池から形成されていることが好ましい。
【００１３】
このような構成によれば、カバー部材が光電変換手段によって形成され、電池が二次電池によって形成されているので、二次電池に蓄えられた電気エネルギが各部に供給されても、新たに光電変換手段で生じる電気エネルギを二次電池に蓄えることで、常に電気エネルギを供給することができる。これによって、電池が一次電池で形成された場合と比べて定期的な一次電池の交換作業を省くことができ、ユーザの負担を小さくすることができる。また、廃棄される使用済みの一次電池が生じないので、環境に優しい表示装置とすることができる。
【００１４】
本発明の表示装置では、前記フレームは、胴と、蓋部材とを備え、前記胴は、筒部と、この筒部の一端から外側に突出する鍔部とを有し、前記蓋部材は、板状で、前記筒部の端部形状と同寸法かつ同形状の開口部を有し、前記鍔部の外周形状と同寸法かつ同形状の外周形状を有し、前記筒部の他端に前記鍔部に対向して着脱可能に設けられ、前記筒部の外周面には、前記表示パネルが配置され、この表示パネルの外周面には、筒状の透光部材が配置され、この透光部材は、前記鍔部と前記蓋部材とによって挟持され、前記電池は、前記筒部と透光部材との間に配置され、前記蓋部材を取り外すことによって当該蓋部材の方向へ移動させて交換可能に設けられていることが好ましい。
【００１５】
このような構成によれば、電池が胴の筒部および透光部材との間に配置され、蓋部材をと取り外すことによって蓋部材の方向へ移動させて交換可能に設けられているので、蓋部材をフレームから取り外すだけで、電池を蓋部材の方向に移動させて取り外し、電池を容易に交換できる。また、電池交換の際に、透光部材を取り外す必要がないので、フレームの内部にゴミやケバ等の異物が侵入することを抑止できる。
【００１６】
本発明の表示装置では、前記フレームは、胴と、蓋部材とを備え、前記胴は、筒部と、この筒部の一端から外側に突出する鍔部とを有し、前記蓋部材は、板状で、前記筒部の端部形状と同寸法かつ同形状の開口部を有し、前記鍔部の外周形状と同寸法かつ同形状の外周形状を有し、前記筒部の他端に前記鍔部に対向して設けられ、前記筒部の外周面には、略筒状の中枠が配置され、この中枠の外周面には、前記表示パネルが巻き付けられ、この表示パネルの外周面には、筒状の透光部材が配置され、前記中枠および前記透光部材は、前記鍔部と前記蓋部材とによって挟持され、前記カバー部材は、前記透光部材によって覆われていることが好ましい。
【００１７】
このような構成によれば、表示パネルおよびカバー部材が透光部材で覆われるので、表示パネルおよびカバー部材が確実に固定され、傷や汚れなどから保護される。
また、胴の筒部の外周面に配置される中枠、表示パネルおよび透光部材が、胴の鍔部と蓋部材とによって挟持されるので、中枠、表示パネルおよび透光部材を確実にフレームに固定することができ、容易に組み立てることができる。
【発明の効果】
【００１８】
本発明の表示装置によれば、表示パネルおよび電池の配置部分における厚さ方向の寸法を小さくすることができ、薄型化を図ることができるという効果がある。
【発明を実施するための最良の形態】
【００１９】
以下、本発明の実施形態を図面に基づいて説明する。
なお、後述する第２実施形態以降において、以下に説明する第１実施形態での構成部材と同じ構成部材および同様な機能を有する構成部材には同一符号を付し、説明を簡単にあるいは省略する。
【００２０】
［第１実施形態］
［１．全体構成］
図１は、本実施形態の表示装置としての時計１の斜視図である。
時計１は、電気泳動表示パネル２０を有する表示モジュール２が、円筒状のフレーム３の外周面に略全周に亘って配置された、腕等に装着されるブレスレット・ウォッチであり、電気泳動表示パネル２０には、時刻表示を示す数字シンボルが表示されている。
【００２１】
図２および図３は、時計１の分解斜視図および横断面図であり、図４は、時計１の縦断面図である。
時計１は、図２に示すように、円筒状のフレーム３と、樹脂製で略円筒状の中枠４と、透光部材として透明な円筒状のカバーガラス５とを有している。中枠４の外周には、図中、２点鎖線で示される表示モジュール２が巻き付けられている。
【００２２】
フレーム３は、胴３１と、蓋部材としての裏蓋３２とを備えて形成されている。胴３１は、筒部としての円筒部３１１と、この円筒部３１１の一方の端縁から外側に向かって突出する鍔部３１２とを有し、断面略Ｌ字形に形成されている。ここで、円筒部３１１の仮想中心軸として軸線Ａを図示する。円筒部３１１の他方の端縁には、軸線Ａに平行な方向に雌ネジを有する突起部３１３が複数形成されている。裏蓋３２は、板状で、円筒部３１１端部の円形状と同寸法かつ同形状の開口部を有し、鍔部３１２の外周の円形状と同寸法かつ同形状の外周形状を有している。また、裏蓋３２は、複数のネジ３３によって胴３１の突起部３１３に締結され、鍔部３１２と対向して設けられている。中枠４は、具体的には後述するが、円筒部３１１の外周に嵌め込まれている。カバーガラス５は、表示モジュール２を覆うように嵌め込まれている。
【００２３】
図３に示すように、中枠４およびカバーガラス５は、鍔部３１２と裏蓋３２とによって挟持され、図中、断面で示す円筒部３１１の長手方向（図２における軸線Ａの方向）に平行な方向の移動が規制されている。なお、胴３１および裏蓋３２によってフレーム３が形成されている。
図４に示すように、胴３１の円筒部３１１とカバーガラス５との間には、各部に電力を供給する電池としての一次電池（ボタン型電池）７が配置されている。一次電池７は、表示モジュール２の両端によって挟まれた領域Ｂに配置されている。
【００２４】
図５および図６は、表示モジュール２の平面図および縦断面図である。なお、図５では、分かり易くするために、表示モジュール２を平面的（湾曲されていない状態）で表した。表示モジュール２は、図５に示すように、帯状の電気泳動表示パネル２０と、この表示パネル２０を駆動する駆動回路部６０とを有して構成されている。
駆動回路部６０と、表示パネル２０とは個別に製造され、異方性導電膜（ＡＣＦ； Anisotropic Conductive Film）などによる配線部材６１で接続されている。
【００２５】
［２．表示パネルの構成］
表示パネル２０は、フレーム３の外周面略全体に亘り帯状に設けられ、図６に示すように、表示基板２１と、透明基板２２と、表示基板２１および透明基板２２の間に設けられた電気泳動層２３とを含んで構成されている。表示パネル２０に表示される計時情報は、表側に配置される透明基板２２を通して視認される。これらの透明基板２２および表示基板２１はポリイミドやポリエステル等の可撓性を有する樹脂から形成されたフレキシブル基板（ＦＰＣ：Flexible Printed Circuit）である。
このような表示パネル２０は、図６に示すように、略３６０°の略筒状に湾曲され、その両端部が互いに所定寸法離れた状態で配置されている。
【００２６】
表示基板２１は、図６に示すように、透明基板に比べて相対的に薄く形成されている。
表示基板２１の上部には、複数のマイクロカプセル２３０が接着されている。この複数のマイクロカプセル２３０により電気泳動層２３が構成されている。電気泳動層２３については、後で詳細を説明する。
【００２７】
また、透明基板２２の上面側に設けられた耐湿シート２０Ａ、および表示基板２１の下面側に設けられた耐湿シート２０Ｂにより、透明基板２２、電気泳動層２３、および表示基板２１等は密封され、電気泳動層２３への水分の浸入が防がれている。詳述すると、こられの耐湿シート２０Ａ，２０Ｂの内側には、接着層としてホットメルト材が塗布され、真空ラミネータ等で耐湿シート２０Ａ，２０Ｂの端部同士を接着させ、また、耐湿シート２０Ａ，２０Ｂを表示基板２１並びに透明基板２２に接着させることにより、基板端面並びに表裏面において、透明基板２２、電気泳動層２３、および表示基板２１等を密封している。
【００２８】
［３．駆動回路部の構成］
図５に戻り、駆動回路部６０は、基板２１，２２と同様に、ポリイミドやポリエステル等の可撓性を有する樹脂から形成されたフレキシブル基板である。駆動回路部６０には、時計１全体を制御する制御用コントローラ６２と、ドライバＩＣから構成されて表示パネル２０の表示制御を実行する表示駆動回路素子６３とがそれぞれ互いに重なることなく実装されている。このような駆動回路部６０は、図６の二点鎖線で示すように、表示パネル２０の端部においてこの表示パネル２０の裏側に向かって反転した状態で配置される。なお、表示駆動回路素子６３と配線部材６１とは、詳しい図示を省略するが、互いに接続されている。
【００２９】
図７は、時計１の電気的構成を示す。駆動回路部６０に実装される制御用コントローラ６２は、表示パネル２０、一次電池７、操作ボタンを有するボタン入力部８および発振部９と電気的に接続している。発振部９は、図示しない計時部が時刻を計時するためにカウントする発振パルスを発生するものである。
【００３０】
［４．電気泳動層の構成および電気泳動による表示］
次に、表示パネル２０における電気泳動層および電気泳動による表示について説明する。
図８は、電気泳動層２３を示す模式図である。電気泳動層２３は、多数のマイクロカプセル２３０が密集して配置されることによって形成され、各マイクロカプセル２３０には、多数の帯電粒子が分散した電気泳動粒子分散液２３１がそれぞれ封入されている。電気泳動粒子分散液２３１では、黒色の電気泳動粒子（以下、黒粒子という）２３１Ａと、白色の電気泳動粒子（以下、白粒子という）２３１Ｂとが混合されて、二色の粉体流体方式の電気泳動層が構成されている。これら黒粒子２３１Ａおよび白粒子２３１Ｂは、互いに異なる極性に帯電しており、本実施形態では、黒粒子２３１Ａがプラス（正）に帯電し、白粒子２３１Ｂがマイナス（負）に帯電している。
【００３１】
また、表示基板２１の上面には表示を制御するためのセグメント電極と呼ばれる複数のシンボル電極２１０が設けられている。透明基板２２の裏面（表示基板２１との対抗面）には、ＩＴＯ（Indium Tin Oxide）などによる透明な共通電極２２０が設けられている。この共通電極２２０は、透明基板２２の表示基板２１との対抗面の略全体に亘って設けられ、各シンボル電極２１０との間でそれぞれ電圧が印加される各シンボル電極２１０共通の電極とされている。
図１に戻って、シンボル電極２１０は、本実施形態では「時」を示す「１」〜「１２」の１２種類の数字シンボルがデザインされた形に形成されている。なお、シンボル電極２１０の種類は複数あるが、区別が必要ない場合、これらをシンボル電極２１０と総称する。これらのシンボル電極２１０のうち計時情報に応じて選択された領域に「時」が表示される。
【００３２】
すなわち、シンボル電極２１０がローレベル電位（Ｌ電位）であり、共通電極２２０がハイレベル電位（Ｈ電位）の場合、共通電極２２０からシンボル電極２１０に向かう電界が発生し、正に帯電した黒粒子２３１Ａがシンボル電極２１０側に移動するとともに、負に帯電した白粒子２３１Ｂが共通電極２２０側に移動する。この時、図１におけるシンボル「１２」のように、表示パネル２０における表示は白色となる。
この白色表示の場合とは逆に、シンボル電極２１０をハイレベル電位（Ｈ電位）とし、共通電極２２０をローレベル電位（Ｌ電位）に切り替えた場合、電界が反転し、表示パネル２０における表示は黒色に切り替わる。
【００３３】
また、黒粒子２３１Ａ、白粒子２３１Ｂの移動量を電位の印加時間や印加電圧などに応じて調整することにより、黒と白との間の色階調の中間色表示も可能であり、図１におけるシンボル「１２」以外のシンボル「１」〜「１１」は、この中間色で表示されている。
なお、電界印加が停止されると、黒粒子２３１Ａ，白粒子２３１Ｂの移動は生じないため、表示色は変化せずに以前の表示色が保持される。
また、シンボル電極２１０の一形態として、後述する飾り板５０の両端部の位置を表示する飾り板位置表示部２１１が形成されている。
【００３４】
［５．中枠の構成］
図９は、中枠４の斜視図である。中枠４は、表示モジュール２が筒状に湾曲した状態を保持するためのものであり、鍔部側部材４１と、裏蓋側部材４２と、後述する電池ホルダ１１を収納するホルダ収納部材４３とから形成されている。鍔部側部材４１および裏蓋側部材４２では、それぞれ円環の一部が不連続となっている。また、これらの側部材４１，４２の縁辺には、表示モジュール２を保持する複数の保持部４１０，４２０がそれぞれ形成されている。
ホルダ収納部材４３は、略コ字形に形成され、同様に略コ字形に形成された板状の電池ホルダ１１を軸線Ａに平行な方向にスライド可能に支持している。鍔部側部材４１および裏蓋側部材４２の軸線Ａに直交する側面同士が、不連続部分が一致するように貼り合わされ、不連続部分にホルダ収納部材４３が取り付けられている。
このホルダ収納部材４３には、一次電池７を収納可能な後述する電池ホルダ１１が軸線Ａに沿ってスライド移動可能に支持されている。そして、電池ホルダ１１が中枠４とともにフレーム３およびカバーガラス５で囲まれた空間に配置された状態で、裏蓋３２を取り外し、電池ホルダ１１を当該裏蓋３２の方向へスライド移動させることによって、一次電池７の交換が可能となっている。
【００３５】
また、鍔部側部材４１および裏蓋側部材４２と、ホルダ収納部材４３との間には、細長い形状の隙間Ｃが形成されている。この隙間Ｃは、図４に示すように、表示モジュール２の駆動回路部６０が挿通可能に形成されている。
【００３６】
［６．電池収納部の構成］
図４に戻って、一次電池７は、電池ホルダ１１に収納された状態で胴３１の円筒部３１１とカバーガラス５との間に配置されている。また、電池ホルダ１１の外周面を覆って、一次電池７の正極側を押える断面コ字状の金属製の正極側押え部材１２と、一次電池７と円筒部３１１との間に配置され、一次電池７の負極側を押える金属製の負極側押え部材１３とを有している。このようにして、一次電池７は、胴３１の円筒部３１１の周方向における電気泳動表示パネル２０の両端部間に配置されている。正極側押え部材１２および負極側押え部材１３は、それぞれ表示モジュール２の駆動回路部６０と導線等によって接続され、駆動回路部６０における制御用コントローラ６２に電力を供給する。なお、電池ホルダ１１、正極側押え部材１２、負極側押え部材１３によって、電池収納部１０が構成されている。
【００３７】
図４に示すように、電池収納部１０の外周側には、カバー部材としての飾り板５０が配置されている。この飾り板５０は、胴３１の外周に沿って曲げられた状態で配置され、表面には装飾が施されている。飾り板５０は、表示パネル２０の両端部を覆うように配置されている。このようにして、表示パネル２０の両端部間に配置される一次電池７等の部材が、飾り板５０によって覆われる。
図１０は、飾り板５０の斜視図である。図１１は、飾り板５０が設置される位置を示す部分平面図である。図１０に示すように、飾り板５０は、フレーム３の外周形状に沿って曲面状に形成されている。飾り板５０の平面形状においてフレーム３の外周方向に沿った両端部は、図１１に示すように、円弧状に形成されている。
【００３８】
そして、表示パネル２０の外周方向における両端部には、飾り板５０の位置決め用のカバー部材位置表示部としての飾り板位置表示部（以下、位置表示部という）２１１が形成され、この位置表示部２１１は、飾り板５０を配置する際に点灯して表示可能に設けられている。表示パネル２０の両端部に１箇所ずつ形成された位置表示部２１１は、線状に形成されている。また、フレーム３の外周面に沿った位置表示部２１１同士の間隔寸法は、飾り板５０のフレーム３の外周面に沿った方向の長さ寸法と同じに設定されている。このようにして、飾り板５０の両端部は、表示パネル２０に形成された位置表示部２１１に合わせて配置可能に設けられている。
なお、本実施形態では図示を省略するが、飾り板５０の表面には、複雑で高度な加工による模様が形成されており、このようにして、飾り板５０に高級感が具備されている。
【００３９】
［７．ボタン入力部の構成］
図３に戻って、ボタン入力部８は、操作ボタン８１と、アーム部８２と、タッチセンサ８３とを備えている。操作ボタン８１は、胴３１の鍔部３１２の側面から外部に露出して配置され、フレーム３の内部に向かって突没可能に支持されている。操作ボタン８１のフレーム３内部側の端部は、アーム部８２と当接している。アーム部８２は、操作ボタン８１の突没状態の位置に合わせてフレーム３内をスライド可能に配置されている。また、アーム部８２は、コイルバネ８２１を有し、このコイルバネ８２１によって操作ボタン８１を突出状態にする方向に付勢されている。このようにして、操作ボタン８１は、通常では突出状態に保持される。アーム部８２の操作ボタン８１とは反対側の端部側には、タッチセンサ８３が配置されている。操作ボタン８１が突出状態の際には、アーム部８２の先端はタッチセンサ８３とは当接せず、操作ボタン８１が没入状態の際には、アーム部８２の先端がタッチセンサ８３の方向に移動して、タッチセンサ８３と当接する。タッチセンサ８３は、制御用コントローラ６２と導線等によって接続されている。
【００４０】
このようにして、ユーザの操作によって、操作ボタン８１が没入状態となると、タッチセンサ８３から、操作ボタン８１の状態を示す信号が制御用コントローラ６２に送られ、制御用コントローラ６２が表示パネル２０をコントロールする。従って、ユーザが操作ボタン８１によって時計１を操作することができる。
【００４１】
［８．時計の組立方法］
次に、時計１の組立方法について説明する。
まず、図２に示すように、中枠４の外周に、表示モジュール２を巻きつけ、表示パネル２０の両端部が中枠４のホルダ収納部材４３を挟むように、かつ、図４に示すように、駆動回路部６０が隙間Ｃを通って円筒部３１１と中枠４との間となるように、表示モジュール２を配置する。このようにして、表示モジュール２の駆動回路部６０が表示パネル２０に対して略１８０°曲がった状態で配置される。次に、電池収納部１０に一次電池７を収納し、ホルダ収納部材４３に電池収納部１０を取り付ける。次に、図２に示すように、中枠４を胴３１の外周部に嵌め込む。
次に、飾り板５０を電池収納部１０の外周を覆うように、所定の位置に配置する。飾り板５０の詳しい位置決め方法については、後述する。次に、表示モジュール２の外周を覆うように、カバーガラス５を嵌め込む。最後に、裏蓋３２を胴３１にネジ止めする。
このようにして、一次電池７が表示パネル２０の両端部の間に配置され、飾り板５０が一次電池７を覆うようにして時計１が組み立てられる。
【００４２】
［９．飾り板の位置決め方法］
次に、飾り板５０を配置する際の位置決め方法について説明する。
まず、図１１に示す表示パネル２０の飾り板位置表示部２１１を点灯させる。次に、飾り板５０の両端部を位置表示部２１１と合うように表示パネル２０を配置する。最後に、位置表示部２１１を消灯させる。なお、位置表示部２１１は、位置決めの際だけ点灯させ、通常使用時には、点灯させないようにすることができる。
このようにして、飾り板５０がスムーズに位置決めされる。
【００４３】
［１０．一次電池の交換方法］
次に、一次電池７の交換方法について説明する。
まず、図３に示すネジ３３を回して裏蓋３２を胴３１から取り外す。次に、図４および図９に示す電池ホルダ１１を軸線Ａに沿ってスライドさせ、電池ホルダ１１を中枠４から取り外す。そして、電池ホルダ１１に収納されている一次電池７を交換する。さらに、前述とは逆の順序で、電池ホルダ１１を中枠４に取り付け、裏蓋３２を胴３１にネジ止めする。
このようにして、一次電池７が交換される。
【００４４】
［１１．本実施形態による効果］
本実施形態によれば、次のような効果がある。
（１）胴３１の外周面に沿って巻かれた電気泳動表示パネル２０の両端部間に一次電池７が配置されているので、表示パネル２０と一次電池７とが互いに重なり合った状態で配置された場合と比べて、表示パネル２０および一次電池７の配置部分における厚さ方向の寸法を小さくすることができ、薄型化を図ることができる。
（２）飾り板５０が、一次電池７を含む表示パネル２０の両端部間を覆っているので、一次電池７や電池収納部１０等を隠すことができ、これらがカバーガラス５越しに露出しないので、良好な外観を得ることができる。
【００４５】
（３）飾り板５０の表面に文字、数字、アルファベット、マーク、模様等による装飾を施こすことによって、装飾性を高めることができる。例えば、複雑で高度な加工による模様を用いることで高級感を具備させることもできる。
（４）飾り板５０が表示パネル２０とともに胴３１の外周面に沿って湾曲した形状なので、一次電池７を飾り板５０で覆うことによって、全体的に胴３１の外周面に沿った統一感のある外観を得ることができる。
【００４６】
（５）表示パネル２０には、飾り板位置表示部２１１が設けられているので、組立作業において、この位置表示部２１１を点灯等で表示させた状態で飾り板５０を表示パネル２０に対して配置させれば、容易に飾り板５０の位置決めをすることができる。従って、組立作業の効率化を図ることができる。また、飾り板５０の位置決めが済んだ後は、位置表示部２１１を消灯等で表示させなくすることができるので、位置表示部２１１が露出することもなく、良好な外観を得ることができる。
（６）表示パネル２０および飾り板５０がカバーガラス５で覆われるので、表示パネル２０および飾り板５０が確実に固定され、傷や汚れなどから保護される。また、中枠４、表示パネル２０およびカバーガラス５が、胴３１の鍔部３１２と裏蓋３２とによって挟持されるので、中枠４、表示パネル２０およびカバーガラス５を確実にフレーム３に固定することができ、容易に組み立てることができる。
【００４７】
（７）裏蓋３２を胴３１から取り外すだけで、電池ホルダ１１をスライドさせて中枠４から取り外し、一次電池７を交換することができるので、電池交換を容易に実施できる。また、電池交換の際に、カバーガラス５や中枠４を分解する必要がないので、フレーム３の内部にゴミやケバ等の異物が侵入することを抑止できる。
【００４８】
［第２実施形態］
次に、本発明の第２実施形態について説明する。図１２は、本実施形態の時計１Ａの電気的構成を示す。図１３は、時計１Ａの縦断面図である。
本実施形態では、電池として二次電池７Ａを採用し、この二次電池７Ａが第１実施形態における一次電池７の位置に配置され、また、カバー部材としての光電変換手段（太陽電池）５０Ａを備えている点が第１実施形態と相違する。これ以外の本実施形態の基本的構成は、第１実施形態に同様である。
【００４９】
すなわち、時計１Ａは、光エネルギを電気エネルギに変換可能な太陽電池５０Ａと、この太陽電池５０Ａで生じる電気エネルギを蓄える二次電池７Ａとを備えている。図１２に示すように、太陽電池５０Ａおよび二次電池７Ａは、制御用コントローラ６２にそれぞれ電気的に接続している。
【００５０】
図１３に示すように、中枠４Ａは、鍔部側部材４１と裏蓋側部材４２と二次電池収納部材４３Ａとから形成され、この二次電池収納部材４３Ａに二次電池７Ａが収納されている。また、二次電池７Ａは、第１実施形態の一次電池７と同様に電気泳動表示パネル２０の両端の間に配置されている。
【００５１】
太陽電池５０Ａは、図１３に示すように、太陽電池本体部５１Ａと支持部材５２Ａとを有する２層構造となっており、胴３１の外周面に沿って配置されている。太陽電池本体部５１Ａは、可撓性を有する薄板状に形成されている。支持部材５２Ａは、表示パネル２０とともに、胴３１の円筒部３１１の外周面に沿った形状となっている。そして、支持部材５２Ａの外周面には、太陽電池本体部５１Ａが貼り付けられている。また、太陽電池５０Ａは、第１実施形態の飾り板５０と同様に、カバーガラス５と胴３１の円筒部３１１との間に設けられ、二次電池７Ａおよび表示パネル２０の両端を覆っている。
このような構成において、太陽電池５０Ａは、光エネルギを電気エネルギに変換する。発生した電気エネルギは、二次電池で蓄えられ、適宜、二次電池から各部へ供給される。
【００５２】
このような本実施形態によれば、前記（１）〜（７）の効果と略同様の効果に加えて以下の効果がある。
（８）太陽電池５０Ａと、二次電池７Ａとを備えているので、二次電池７Ａに蓄えられた電気エネルギが各部に供給されても、新たに太陽電池５０Ａで生じる電気エネルギを二次電池７Ａに蓄えることで、常に電気エネルギを供給することができる。これによって、電池が一次電池で形成された場合と比べて定期的な電池の交換作業を省くことができ、ユーザの負担を小さくすることができる。また、廃棄される使用済みの電池が生じないので、環境に優しい時計１Ａとすることができる。
【００５３】
（９）太陽電池本体部５１Ａを可撓性のある薄板状に形成することができるので、この太陽電池本体部５１Ａを支持部材５２Ａの外周面に配置することによって、太陽電池５０Ａの厚さ方向の寸法を小さくすることができる。これによって、太陽電池５０Ａの配置部分における時計１Ａの厚さ方向の寸法を小さくすることができ、全体的に優れた外観を維持することができる。
【００５４】
［本発明の変形例］
なお、本発明は前述の実施形態に限定されるものではなく、本発明の目的を達成できる範囲での変形、改良等は本発明に含まれるものである。
【００５５】
例えば、前記第１実施形態では、表示パネル２０に飾り板位置表示部２１１が設けられているが、本発明では、飾り板５０の位置決めのための構成として、図１４に示すように保持部４１０，４２０に内側に向かう突起部４１１，４２１を形成してもよい。突起部４１１，４２１に飾り板５０の周方向の端部を当接させることによって、飾り板５０の周方向の位置決めを実施することができる。これによって、組立作業の際、飾り板５０の位置決めを短時間で容易に実施することができ、組立作業の効率化を図ることができる。なお、本発明において、中枠４が設けられていない場合には、ケース３に前述の突起部を設けて、飾り板５０の位置決めを実施するように構成してもよい。
【００５６】
また、前記第１実施形態では、所定の径寸法のフレーム３と飾り板５０とを備える時計１を例にして説明したが、例えば、径寸法の異なるフレームと、このフレームの径寸法に対応した周方向の長さ寸法を有する飾り板と、第１実施形態と同じ表示パネル２０とを備えるサイズ違いの時計としてもよい。このような時計を組み立てる際には、第１実施形態と同様に、フレームの外周面に、表示パネル２０を配置した後、この表示パネル２０の両端部を覆うように、飾り板を配置することができる。このように、フレーム３の径寸法が異なる場合でも飾り板５０の周方向の長さ寸法を変更するだけで、共通の表示パネル２０を使用することができる。従って、部品の共通化が可能で、コストダウンを図ることができる。
【００５７】
また、第１実施形態では、透光部材としてカバーガラス５を採用しているが、透光部材としては、少なくとも表示パネル２０の表示を視認できるものであればよく、透光性を有した樹脂製のカバー等でもよい。また、透光性を有していれば色付きのものでもよい。
【００５８】
また、第２実施形態における二次電池７Ａは、第１実施形態における一次電池７と同様に、裏蓋を外した際に、スライド移動可能に収納支持されていてもよい。このようにすれば、二次電池７Ａを交換する際に、交換作業が容易となり、また、電池交換の際に、フレーム３内部への異物の侵入を抑制することができる。
また、第１実施形態では、フレーム３は、断面Ｌ字形の胴３１と、裏蓋３２との２部材によって筒状に形成されているものを例にして説明したが、本発明では、胴３１を構成する円筒部３１１と鍔部３１２とが個別に製造され、フレーム３が円筒部３１１と鍔部３１２と裏蓋３２との３部品から構成されていてもよい。
【００５９】
また、第１実施形態では、中枠４は、鍔部側部材４１と裏蓋側部材４２とを備えているが、これらは一体で形成されていてもよい。
また、本発明に含まれている電池が表示パネルに重なるように配置され、また、カバー部材としての太陽電池が表示パネルの両端部を覆うように配置されている表示装置とすることもできる。
【００６０】
また、第１実施形態では、カバー部材としての飾り板５０は、電気泳動表示パネル２０の両端部の上面まで延長されて、その両端部を覆うように形成されていたが、本発明では、少なくとも、一次電池７を覆うように形成されていればよい。ただし、飾り板５０を表示パネル２０の両端部を覆うように形成することで、表示パネル２０端部の配線部材６１までも確実に覆うことができ、意匠性を向上させることができる。
また、第１実施形態では、時計１を例にして説明したが、本発明では、例えば、携帯電話、ディジタルカメラ、ＰＤＡ（Personal Digital Assistants ）等でもよい。要するに、時刻表示に限らず各種情報を表示するという機能を発揮できる表示装置であればよい。また、表示装置としては、腕等に装着して利用されるものに限らず、任意の場所に置いて使用するものであっても、鎖等で壁等に吊り下げて使用するものでもよい。
【００６１】
また、第１実施形態では、表示パネルとして電気泳動表示パネル２０を例にして説明したが、本発明の表示パネルとしては、例えば、有機ＥＬパネル等でもよい。要するに、略筒状に湾曲できる帯状の表示パネルであればよい。
また、第１実施形態では、電池として一次電池７を例にして説明したが、電池として二次電池を採用してもよい。この場合、充電方式としては、通常よく行われているように、充電用の端子をフレーム３に設けることも可能であるが、電磁誘導等の方式で無線にて電力を供給するように構成することも可能である。
また、第１実施形態では、フレームを円筒状として説明したが、本発明のフレームは、円筒状に限らず、例えば、多角形の筒状であってもよい。
【００６２】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００６３】
【図１】本発明の第１実施形態に係る表示装置としての時計を示す斜視図。
【図２】前記時計を示す分解斜視図。
【図３】前記時計を示す横断面図。
【図４】前記時計を示す縦断面図。
【図５】前記時計における表示モジュールを示す平面図。
【図６】前記表示モジュールを示す縦断面図。
【図７】前記時計の電気的構成を示す図。
【図８】前記表示モジュールにおける電気泳動層を示す模式図。
【図９】前記時計における中枠の斜視図。
【図１０】前記時計におけるカバー部材の斜視図。
【図１１】前記時計におけるカバー部材が設置される位置を示す部分平面図。
【図１２】本発明の第２実施形態に係る時計の電気的構成を示す図。
【図１３】前記時計を示す縦断面図。
【図１４】前記カバー部材の位置決めのための構成の変形例を示す部分平面図。
【符号の説明】
【００６４】
１，１Ａ…時計（表示装置）、３…フレーム、４，４Ａ…中枠、５…カバーガラス（透光部材）、７…一次電池（電池）、７Ａ…二次電池（電池）、２０…電気泳動表示パネル（表示パネル）、３１…胴、３２…裏蓋（蓋部材）、５０…飾り板（カバー部材）、５０Ａ…光電変換手段（カバー部材）、２１１…飾り板位置表示部（カバー部材位置表示部）、３１１…円筒部（筒部）、３１２…鍔部、４１１，４２１…突起部。
【図２】
2008096543.tif 000003
【図３】
2008096543.tif 000004
【図４】
2008096543.tif 000005
【図５】
2008096543.tif 000006
【図６】
2008096543.tif 000007
【図７】
2008096543.tif 000008
【図８】
2008096543.tif 000009
【図９】
2008096543.tif 000010
【図１０】
2008096543.tif 000011
【図１１】
2008096543.tif 000012
【図１２】
2008096543.tif 000013
【図１３】
2008096543.tif 000014
【図１４】
2008096543.tif 000015
【図１】
2008096543.tif 000016